(57)【要約】【課題】放送サービスの利便性を向上させることができる携帯無線端末および放送サービスシステムを提供する。【解決手段】本発明に係わる携帯型無線端末１００，１５０の一形態では、放送サービス信号を受信する受信部２、放送サービス信号の受信感度の測定を行う感度測定部４、位置情報の取得を行う位置情報取得部５、および送信部３を備えている。送信部３は、自機における一組の位置−感度信号を、他の携帯型無線端末に対して送信する。また、一組の位置ー感度信号は、位置情報取得部５で取得した、放送サービス信号を受信している所定の位置に関する位置情報、および、当該所定の位置における感度測定部４での測定結果から成る。【選択図】図１
2007325068.tif 000002
【特許請求の範囲】
【請求項１】
放送サービス信号を受信する受信部と、
前記放送サービス信号の受信感度の測定を行う感度測定部と、
位置情報の取得を行う位置情報取得部と、
前記位置情報取得部で取得した、前記放送サービス信号を受信している所定の位置に関する前記位置情報、および、前記所定の位置における前記感度測定部での測定結果から成る、自機における一組の位置−感度信号を、他の携帯型無線端末に対して送信する送信部とを、備えている、
ことを特徴とする携帯型無線端末。
【請求項２】
少なくとも１以上の他の携帯型無線端末から各々送信される、所定の位置に関する位置情報、および、前記所定の位置における放送サービス信号の受信感度情報から成る、他機における一組の位置−感度信号を受信する受信部と、
前記受信部で受信した、少なくとも一組以上の位置−感度信号に基づいて、所定の地域における前記放送サービス信号の受信感度の強弱を表す感度マップを作成する感度マップ作成部と、
前記感度マップを表示する表示部とを、備えている、
ことを特徴とする携帯型無線端末。
【請求項３】
少なくとも１以上の他の携帯型無線端末から各々送信される、所定の位置に関する位置情報、および、前記所定の位置における放送サービス信号の受信感度情報から成る、他機における一組の位置−感度信号を受信する受信部と、
前記自機における一組の位置−感度信号と、前記受信部で受信した少なくとも一組以上の前記他機における一組の位置−感度信号とに基づいて、自機の位置を含む所定の地域における前記放送サービス信号の受信感度の強弱を表す感度マップを作成する感度マップ作成部と、
前記感度マップを表示する表示部とを、さらに備えている、
ことを特徴とする請求項１に記載の携帯型無線端末。
【請求項４】
前記他の携帯型無線端末との通信は、
通信距離が４００ｍ程度である近距離通信を用いて行われる、
ことを特徴とする請求項１ないし請求項３のいずれかに記載の携帯型無線端末。
【請求項５】
放送サービスの提供を受けることが可能な複数の携帯型無線端末と、前記携帯型無線端末との通信が可能なサーバとを、備える放送サービスシステムにおいて、
前記携帯型無線端末は、
放送サービス信号の受信感度の測定を行う感度測定部と、
位置情報の取得を行う位置情報取得部と、
前記位置情報取得部で取得した前記放送サービス信号を受信している所定の位置に関する前記位置情報、および、前記所定の位置における前記感度測定部での測定結果から成る、一組の位置−感度信号と、所定の要求信号とを、前記サーバに対して送信することが可能なサーバ通信部と、
所定の地域における前記受信感度の強弱を表す感度マップを作成する感度マップ作成部と、
前記感度マップを表示する表示部とを、備えており、
前記サーバは、
前記複数の携帯型無線端末から各々送信される、複数組の位置−感度信号を記憶する位置−感度信号記憶部と、
所定の前記携帯型無線端末から送信される前記所定の要求信号に応じて、前記位置−感度記憶部に記憶されている所定の組の前記位置−感度信号を、前記所定の携帯型無線端末に送信する位置−感度信号送信部とを、備えており、
前記感度マップ作成部は、
前記サーバ通信部で受信した前記所定の組の位置−感度信号に基づいて、前記所定の地域における前記感度マップを作成する、
ことを特徴とする放送サービスシステム。
【請求項６】
前記所定の要求信号には、
前記所定の携帯無線端末の前記位置情報取得部が取得した前記位置情報、および、前記位置情報で特定可能な位置を中心とした範囲情報を、少なくとも含んでおり、
前記位置−感度信号送信部は、
前記所定の要求信号に応じて、前記範囲情報で特定可能な範囲内に属する、前記所定の組の前記位置−感度信号を送信する、
ことを特徴とする請求項５に記載の放送サービスシステム。
【請求項７】
放送サービスの提供を受けることが可能な複数の携帯型無線端末と、前記携帯型無線端末との通信が可能なサーバとを、備える放送サービスシステムにおいて、
前記携帯型無線端末は、
放送サービス信号の受信感度の測定を行う感度測定部と、
位置情報の取得を行う位置情報取得部と、
前記位置情報取得部で取得した前記放送サービス信号を受信している所定の位置に関する前記位置情報、および、前記所定の位置における前記感度測定部での測定結果から成る、一組の位置−感度信号と、所定の要求信号とを、前記サーバに対して送信することが可能なサーバ通信部と、
感度マップを表示する表示部とを、備えており、
前記サーバは、
前記複数の携帯型無線端末から各々送信される、複数組の位置−感度信号に基づいて、所定の地域における前記放送サービス信号の受信感度の強弱を表す前記感度マップを作成し、当該感度マップを記憶する感度マップ管理部と、
所定の前記携帯型無線端末から送信される前記所定の要求信号に応じて、前記感度マップ管理部に記憶されている前記感度マップを、前記所定の携帯型無線端末に送信する感度マップ送信部とを、備えている、
ことを特徴とする放送サービスシステム。
【請求項８】
前記所定の要求信号には、
前記所定の携帯無線端末の前記位置情報取得部が取得した前記位置情報、および、前記位置情報で特定可能な位置を中心とした範囲情報を、少なくとも含んでおり、
前記感度マップ送信部は、
前記所定の要求信号に応じて、前記感度マップ管理部に記憶されている前記感度マップの内、前記範囲情報で特定可能な範囲内に属する、区分感度マップを送信する、
ことを特徴とする請求項７に記載の放送サービスシステム。
【請求項９】
前記携帯型無線端末は、
前記サーバ通信部で受信した、前記サーバから送信される前記感度または前記区分感度マップを記憶する感度マップ記憶部を、さらに備えている、
ことを特徴とした請求項７または請求項８に記載の放送サービスシステム。
【発明の詳細な説明】
【技術分野】
【０００１】
この発明は、携帯型無線端末および放送サービスシステムに係る発明である。
【背景技術】
【０００２】
近年では、携帯型無線端末向けのテレビ放送やラジオ放送等の放送サービスが、充実してきている。たとえば、携帯電話機を用いた無線電話サービスとデジタル放送サービスとを融合させた先行技術として、特許文献１が存在する。当該特許文献１に係わる技術では、無線電話網を介して、デジタル放送サービス信号（放送内容から成る信号と把握できる）が携帯電話機へと送信される。
【０００３】
【特許文献１】特開２００４−４０１６５号公報
【発明の開示】
【発明が解決しようとする課題】
【０００４】
しかし、携帯型無線端末側において、場所や状況によって無線電波を受信することができないことがあり、当該放送サービスを利用できない場合があった。このような場合，携帯型無線端末のユーザは、当該放送サービスの利用をあきらめるしかなかった。
【０００５】
しかし，上記のような理由により放送サービスが利用できない場合でも、ユーザが放送サービス信号を受信できる場所さえ知ることができれば、当該携帯型無線端末を用いた放送サービスの利便性を飛躍的に向上させることができる。
【０００６】
そこで、本発明は、放送サービスの利便性を向上させることができる携帯型無線端末および放送サービスシステムを提供することを目的とする。
【課題を解決するための手段】
【０００７】
上記の目的を達成するために、本発明に係る請求項１に記載の携帯型無線端末は、放送サービス信号を受信する受信部と、前記放送サービス信号の受信感度の測定を行う感度測定部と、位置情報の取得を行う位置情報取得部と、前記位置情報取得部で取得した、前記放送サービス信号を受信している所定の位置に関する前記位置情報、および、前記所定の位置における前記感度測定部での測定結果から成る、自機における一組の位置−感度信号を、他の携帯型無線端末に対して送信する送信部とを、備えている。
【０００８】
また、本発明に係る請求項２に記載の携帯型無線端末は、少なくとも１以上の他の携帯型無線端末から各々送信される、所定の位置に関する位置情報、および、前記所定の位置における放送サービス信号の受信感度情報から成る、他機における一組の位置−感度信号を受信する受信部と、前記受信部で受信した、少なくとも一組以上の位置−感度信号に基づいて、所定の地域における前記放送サービス信号の受信感度の強弱を表す感度マップを作成する感度マップ作成部と、前記感度マップを表示する表示部とを、備えている。
【０００９】
また、本発明に係わる請求項５に記載の放送サービスシステムは、放送サービスの提供を受けることが可能な複数の携帯型無線端末と、携帯型無線端末との通信が可能なサーバとを、備える放送サービスシステムであって、前記携帯型無線端末は、放送サービス信号の受信感度の測定を行う感度測定部と、位置情報の取得を行う位置情報取得部と、前記位置情報取得部で取得した前記放送サービス信号を受信している所定の位置に関する前記位置情報、および、前記所定の位置における前記感度測定部での測定結果から成る、一組の位置−感度信号と、所定の要求信号とを、前記サーバに対して送信することが可能なサーバ通信部と、所定の地域における前記受信感度の強弱を表す感度マップを作成する感度マップ作成部と、前記感度マップを表示する表示部とを、備えており、前記サーバは、前記複数の携帯型無線端末から各々送信される、複数組の位置−感度信号を記憶する位置−感度信号記憶部と、所定の前記携帯型無線端末から送信される前記所定の要求信号に応じて、前記位置−感度記憶部に記憶されている所定の組の前記位置−感度信号を、前記所定の携帯型無線端末に送信する位置−感度信号送信部とを、備えており、前記感度マップ作成部は、前記サーバ通信部で受信した前記所定の組の位置−感度信号に基づいて、前記所定の地域における前記感度マップを作成する。
【００１０】
また、本発明に係わる請求項７に記載の放送サービスシステムは、放送サービスの提供を受けることが可能な複数の携帯型無線端末と、前記携帯型無線端末との通信が可能なサーバとを、備える放送サービスシステムであって、前記携帯型無線端末は、放送サービス信号の受信感度の測定を行う感度測定部と、位置情報の取得を行う位置情報取得部と、前記位置情報取得部で取得した前記放送サービス信号を受信している所定の位置に関する前記位置情報、および、前記所定の位置における前記感度測定部での測定結果から成る、一組の位置−感度信号と、所定の要求信号とを、前記サーバに対して送信することが可能なサーバ通信部と、感度マップを表示する表示部とを、備えており、前記サーバは、前記複数の携帯型無線端末から各々送信される、複数組の位置−感度信号に基づいて、所定の地域における前記放送サービス信号の受信感度の強弱を表す前記感度マップを作成し、当該感度マップを記憶する感度マップ管理部と、所定の前記携帯型無線端末から送信される前記所定の要求信号に応じて、前記感度マップ管理部に記憶されている前記感度マップを、前記所定の携帯型無線端末に送信する感度マップ送信部とを、備えている。
【発明の効果】
【００１１】
本発明の請求項１に記載の携帯型無線端末は、放送サービス信号を受信する受信部と、前記放送サービス信号の受信感度の測定を行う感度測定部と、位置情報の取得を行う位置情報取得部と、前記位置情報取得部で取得した、前記放送サービス信号を受信している所定の位置に関する前記位置情報、および、前記所定の位置における前記感度測定部での測定結果から成る、自機における一組の位置−感度信号を、他の携帯型無線端末に対して送信する送信部とを、備えている。
【００１２】
したがって、他機において上記感度マップ作成部が配設されていれば、請求項１の構成を有する各携帯型無線端末から送信されてくる上記位置−感度信号に基づいて、受信感度の強弱の分布を表す感度マップを作成することができる。よって、当該他機において作成された感度マップが表示されれば、当該他機のユーザは、当該他機の存在位置を含む所定の地域における受信感度の分布の様子を知ることができる。これにより、たとえば、当該他機の現在位置における放送サービス信号の受信感度が悪い場合には、当該他機のユーザは、作成された感度マップに従って、放送サービス信号の受信感度がより強い位置に移動することが容易にできる。つまり、請求項１に記載の携帯型無線端末を採用することにより、放送サービスの利便性を向上させることができる。
【００１３】
また、本発明の請求項２に記載の携帯型無線端末は、少なくとも１以上の他の携帯型無線端末から各々送信される、所定の位置に関する位置情報、および、前記所定の位置における放送サービス信号の受信感度情報から成る、他機における一組の位置−感度信号を受信する受信部と、前記受信部で受信した、少なくとも一組以上の位置−感度信号に基づいて、所定の地域における前記放送サービス信号の受信感度の強弱を表す感度マップを作成する感度マップ作成部と、前記感度マップを表示する表示部とを、備えている。
【００１４】
したがって、請求項２記載の携帯型無線端末のユーザは、表示部で表示される感度マップを参照することにより、どの場所が放送サービス信号の受信感度が強いかを認識することできる。よって、当該感度マップに従って、請求項２に記載の携帯型無線端末を有するユーザは、容易に放送サービス信号の受信感度の強い場所に移動することができる。つまり、請求項２に係わる携帯型無線端末を採用することにより、放送サービスの利便性を向上させることができる。
【００１５】
また、本発明の請求項５に記載の放送サービスシステムは、放送サービスの提供を受けることが可能な複数の携帯型無線端末と、携帯型無線端末との通信が可能なサーバとを、備える放送サービスシステムであって、前記携帯型無線端末は、放送サービス信号の受信感度の測定を行う感度測定部と、位置情報の取得を行う位置情報取得部と、前記位置情報取得部で取得した前記放送サービス信号を受信している所定の位置に関する前記位置情報、および、前記所定の位置における前記感度測定部での測定結果から成る、一組の位置−感度信号と、所定の要求信号とを、前記サーバに対して送信することが可能なサーバ通信部と、所定の地域における前記受信感度の強弱を表す感度マップを作成する感度マップ作成部と、前記感度マップを表示する表示部とを、備えており、前記サーバは、前記複数の携帯型無線端末から各々送信される、複数組の位置−感度信号を記憶する位置−感度信号記憶部と、所定の前記携帯型無線端末から送信される前記所定の要求信号に応じて、前記位置−感度記憶部に記憶されている所定の組の前記位置−感度信号を、前記所定の携帯型無線端末に送信する位置−感度信号送信部とを、備えており、前記感度マップ作成部は、前記サーバ通信部で受信した前記所定の組の位置−感度信号に基づいて、前記所定の地域における前記感度マップを作成する。
【００１６】
したがって、各携帯型無線端末が必要に応じてサーバにアクセスすることにより、各携帯型無線端末は、感度マップの作成および表示を行うことができる。よって、各携帯型無線端末のユーザは、当該感度マップを参照することにより、放送サービス信号の受信感度のより強い地点へと容易に移動することができる。つまり、請求項５に係わる放送サービスシステムを採用することにより、放送サービスの利便性を向上させることができる。
【００１７】
また、本発明の請求項７に記載の放送サービスシステムは、放送サービスの提供を受けることが可能な複数の携帯型無線端末と、前記携帯型無線端末との通信が可能なサーバとを、備える放送サービスシステムであって、前記携帯型無線端末は、放送サービス信号の受信感度の測定を行う感度測定部と、位置情報の取得を行う位置情報取得部と、前記位置情報取得部で取得した前記放送サービス信号を受信している所定の位置に関する前記位置情報、および、前記所定の位置における前記感度測定部での測定結果から成る、一組の位置−感度信号と、所定の要求信号とを、前記サーバに対して送信することが可能なサーバ通信部と、感度マップを表示する表示部とを、備えており、前記サーバは、前記複数の携帯型無線端末から各々送信される、複数組の位置−感度信号に基づいて、所定の地域における前記放送サービス信号の受信感度の強弱を表す前記感度マップを作成し、当該感度マップを記憶する感度マップ管理部と、所定の前記携帯型無線端末から送信される前記所定の要求信号に応じて、前記感度マップ管理部に記憶されている前記感度マップを、前記所定の携帯型無線端末に送信する感度マップ送信部とを、備えている。
【００１８】
したがって、各携帯型無線端末が必要に応じてサーバにアクセスすることにより、各携帯型無線端末は、感度マップ（区分感度マップ）の取得および表示を行うことができる。よって、各携帯型無線端末のユーザは、当該感度マップを参照することにより、放送サービス信号の受信感度のより強い地点へと容易に移動することができる。つまり、請求項７に係わる放送サービスシステムを採用することにより、放送サービスの利便性を向上させることができる。
【発明を実施するための最良の形態】
【００１９】
以下、この発明をその実施の形態を示す図面に基づいて具体的に説明する。
【００２０】
＜実施の形態１＞
本実施の形態に係わる携帯型無線端末の内部構成を示すブロック図を、図１に示す。なお、図１には、２台の携帯型無線端末１００，１５０のみを図示している。しかし、後述する本発明の効果（つまり、後述する感度マップの充実化）を考慮すると、３台以上の台数の携帯型無線端末が存在する方が好ましい。
【００２１】
各携帯型無線端末１００，１５０は、図示していない基地局から送信される、テレビやラジオ等のデジタル放送サービス（以下、単に放送サービスと称する）信号を受信し、当該携帯型無線端末１００，１５０において、放送サービスを視聴することができる構成となっている。ここで、放送サービス信号は、アンテナ１を介して受信部２が受信する。なお、図面簡略化のため本発明と関連のない他のブロック回路（たとえば、放送サービスを携帯型無線端末１００，１５０で再生するための各ブロック回路）は、図１では図示を省略している。したがって、以下では説明を省略するが、各携帯型無線端末１００，１５０は、放送サービス信号を受信すると、当該放送サービス信号に基づいた番組を視聴することができる。
【００２２】
図１において、携帯型無線端末１００，１５０間では、Ｂｌｕｅｔｏｏｔｈ等の近距離通信（通信距離がたとえば〜４００ｍ程度）が可能である。以下、携帯型無線端末１００，１５０内に配設されている各ブロック２〜７の機能について説明する。
【００２３】
図１において、受信部２は、放送サービス信号を受信すると共に、他の携帯型無線端末１００，１５０から送信される信号（たとえば、後述する一組の位置−感度信号）を受信する。ここで、一組の位置−感度信号は、所定の位置に関する位置情報、および、当該所定の位置に存する他機における放送サービス信号の受信感度情報から構成されている。また、当該一組の位置−感度信号は、少なくとも１以上の他の携帯型無線端末１００，１５０から各々送信される。ここで、携帯型無線端末１００，１５０との間では、上述の通り近距離通信が行われる。
【００２４】
また、図１と異なるが、各携帯型無線端末１００，１５０は、放送サービス信号を受信するための受信部と、他の携帯型無線端末から近距離通信により送信される信号を受信するための受信部とを、別個独立の設けても良い。
【００２５】
感度測定部４は、アンテナ１を介して受信部２で受信した放送サービス信号の受信感度の測定を行う部分である。なお、信号の受信感度の測定原理は、携帯電話器等において行われている一般的な技術であるので、ここでの説明は省略する。また、位置情報取得部５は、ＧＰＳ等を用いて携帯型無線端末１００，１５０の現在位置情報の取得を行う部分である。
【００２６】
また、送信部３は、自機における一組の位置−感度信号を、他の携帯型無線端末１００，１５０に対して近距離通信にて送信する。ここで、一組の位置−感度信号は、位置情報取得部５で取得した、放送サービス信号を受信している所定の位置（現在位置）に関する位置情報、および、当該所定の位置（現在位置）における感度測定部４での測定結果（受信感度レベル）から構成される。
【００２７】
感度マップ作成部６は、自機の位置を含む所定の地域における放送サービス信号の受信感度の強弱の分布を表す感度マップを作成する部分である。ここで、当該感度マップは、受信部２で受信した、他機における少なくとも一組以上の位置−感度信号、および自機の感度計測部４と位置情報取得部５とから送信される自機における一組の位置−感度信号に基づいて、作成される。また、表示部７は、ユーザの携帯型無線端末１００，１５０における操作に基づいて、感度マップ作成部６で作成された感度マップを表示する部分である。
【００２８】
なお、図１には、図示しないが、通常各携帯型無線端末１００，１５０は、各回路の動作を制御するＣＰＵが配設されている。
【００２９】
次に、本実施の形態に係わる携帯型無線端末１００，１５０の動作の一例について説明する。
【００３０】
はじめに、放送サービス信号を受信してから、他機および自機の感度マップ作成部６に一組の位置−感度信号を送信するまでの動作の一例について、図２の動作の流れを示す図を用いて説明する。なお、以下では、図１に示した携帯型無線端末１００を「自機」として説明を行う。
【００３１】
図２に示すように、携帯型無線端末１００は、基地局から送信される放送サービス信号をアンテナ１を介して受信部２において受信する（ステップＳ１）。次に、感度測定部４は、当該放送サービス信号の受信感度を測定する（ステップＳ２）。当該受信感度の測定後、ＧＰＳ等を利用して、位置情報取得部５は、携帯型無線端末１００の現在位置に関する位置情報を取得する（ステップＳ３）。
【００３２】
ステップＳ３において位置情報を取得したら、送信部３は、放送サービス信号を受信している現在の位置に関する位置情報（ステップＳ３で取得した位置情報）、および、現在の位置における感度測定部４での測定結果（ステップＳ２の測定結果）から成る、自機における一組の位置−感度信号を、他の携帯型無線端末１５０に対して送信する（ステップＳ４）。ここで、他の携帯型無線端末１５０は、上述の通り複数存在しても良い。また、自機である携帯型無線端末１００と他の携帯型無線端末１５０との間における通信は、上記の通り近距離通信である。
【００３３】
また、送信部３は、当該自機の位置−感度信号を、自機である携帯型無線端末１００内に配設されている感度マップ作成部６に対しても送信する（ステップＳ５）。
【００３４】
次に、感度マップ作成部６における動作の一例について、図３の動作の流れを示す図を用いて説明する。
【００３５】
携帯型無線端末１００の受信部２では、アンテナ１を介して、他の携帯型無線端末１５０から送信されてきた他機における一組の位置−感度信号を受信する（ステップＳ１１）。ここで、上述の通り、携帯型無線端末１００，１５０間の通信は、近距離通信である。また、図１と異なるが、他の携帯型無線端末１５０が近距離通信が可能な範囲に複数存在する場合には、当該受信部２では、上記他機における一組の位置−感度信号を複数組受信する。受信部２が当該他機における一組の位置−感度信号を受信すると、当該受信部２は、自機内に配設されている感度マップ作成部６に当該位置−感度信号を送信する（ステップＳ１２）。
【００３６】
感度マップ作成部６が、ステップＳ５において送信された自機における位置−感度信号、およびステップＳ１２において送信された他機における位置−感度信号を受信すると、当該感度マップ作成部６は、当該自機における位置−感度信号および他機における位置−感度信号に基づいて、自機の位置を含む所定の地域における放送サービス信号の受信感度の強弱の分布を表す感度マップを作成する（ステップＳ１３）。ここで、近距離通信の範囲が、たとえば４００ｍ程度であれば、上記所定の地域とは、自機の位置を中心とした半径４００ｍ程度の範囲の地域であると把握できる。
【００３７】
なお、感度マップ作成部６では、当該作成した感度マップの保存が可能であり、当該感度マップ作成部６が自機における位置−感度信号および／または他機における位置−感度信号を受信するたびに、当該保存している感度マップに新しく受信した位置−感度信号の情報を反映させる（感度マップの更新または再作成）される（ステップＳ１３）。
【００３８】
また、自機の携帯型無線端末１００に対してユーザが所定の操作を施すことにより、当該感度マップ作成部６で保存・作成された感度マップを自機の携帯型無線端末１００の表示部７に表示させることもできる。図４に、感度マップ作成部６で作成され、表示部７で表示される感度マップの一例を示す。図４において、自機の位置が感度マップの中心に表示されている。また、図４において、色が濃いほど受信感度が強いことを意味する。また、受信感度が強いほど、受信感度が弱くなるまでの距離（受信可能範囲の直径）が大きくなる。
【００３９】
なお、上記では、携帯型無線端末１００内の動作について説明したが、他機である携帯型無線端末１５０においても同様の動作が行われることは、言うまでも無い。
【００４０】
以上のように、本実施の形態に係わる携帯型無線端末１００，１５０では、位置情報取得部５で取得した、放送サービス信号を受信している所定の位置に関する位置情報、および、所定の位置における感度測定部４での測定結果から成る、自機における一組の位置−感度信号を、他の携帯型無線端末１００，１５０に対して送信している。
【００４１】
したがって、他機において上記感度マップ作成部６を配設されていれば、各携帯型無線端末１００，１５０から送信されてくる上記位置−感度信号に基づいて、受信感度の強弱の分布を表す感度マップを作成することができる。よって、当該他機において作成された感度マップが表示されれば、当該他機のユーザは、当該他機の存在位置を含む所定の地域における受信感度の分布の様子を知ることができる。これにより、たとえば、当該他機の現在位置における放送サービス信号の受信感度が悪い場合には、当該他機のユーザは、作成された感度マップに従って、放送サービス信号の受信感度がより強い位置に移動することが容易にできる。
【００４２】
つまり、本実施の形態に係わる携帯型無線端末１００，１５０を採用することにより、放送サービスの利便性を向上させることができる。
【００４３】
また、本実施の形態に係わる携帯型無線端末１００，１５０では、自機の受信部２で受信した、他機から送信された少なくとも一組以上の位置−感度信号に基づいて、所定の地域における感度マップを、感度マップ作成部６で作成している。そして、当該携帯型無線端末１００，１５０は、当該作成された感度マップを表示することができる表示部７を備えている。
【００４４】
したがって、自機である携帯型無線端末１００，１５０のユーザは、表示部７で表示される感度マップを参照することにより、どの場所が放送サービス信号の受信感度が強いかを認識することできる。よって、当該感度マップに従って、自機である携帯型無線端末１００，１５０を有するユーザは、容易に放送サービス信号の受信感度の強い場所に移動することができる。
【００４５】
また、本実施の形態に係わる携帯型無線端末１００，１５０では、自機における一組の位置−感度信号と、他機における一組の位置−感度信号とに基づいて、自機の位置を含む所定の地域における感度マップを、自機の感度マップ作成部６が作成している。そして、自機の表示部７において当該作成された感度マップを表示することができる。
【００４６】
したがって、表示部７に表示される感度マップにおいて、自機の場所および当該場所における放送サービス信号の受信感度の値を、自機のユーザは認識することができる。よって、現在の自機の位置から、放送サービス信号の受信感度の値がより高く、現在の位置からより近い位置へと、当該自機である携帯型無線端末１００，１５０のユーザは、容易に移動することができる。
【００４７】
なお、携帯型無線端末１００，１５０間の通信は、上述のように、通信距離が４００ｍ程度である近距離通信（たとえばＢｌｕｅｔｏｏｔｈ（登録商標））を用いて行われるようにしても良い。この場合には、作成される感度マップを徒歩で移動できる範囲内（自機を中心として半径４００ｍ程度）のものにすることができる。
【００４８】
また、上記携帯型無線端末１００，１５０の動作（一組の位置−感度信号の受信、自機の位置−感度信号の作成、および感度マップの作成等）は、放送サービスの視聴時だけでなく、当該携帯型無線端末１００，１５０の電源がＯＮ時に常に行われるように設定しても良い。また、作成された感度マップの表示は、通常、携帯型無線端末１００，１５０のユーザの所定の操作に基づいて行われるものとする。
【００４９】
なお、上記では、他の携帯型無線端末１００，１５０から送信されてくる信号を受信する受信部２と、他の携帯型無線端末１００，１５０に向けて信号を送信する送信部３とは、別部材として記載した。しかし、当該受信部２および送信部３を、携帯型無線端末１００，１５０の無線部として一の回路にまとめても良い。また、上述の通り、放送サービス信号を受信する受信部と他の携帯型無線端末１００，１５０から送信されてくる信号を受信する受信部とを、別回路としても良い。
【００５０】
＜実施の形態２＞
図５に本実施の形態に係わる放送サービスシステムの構成を示す。図５に示すように、当該放送サービスシステムは、放送サービスの提供を受けることが可能な複数の携帯型無線端末２００と、当該携帯型無線端末２００との通信が可能なサーバ３００とから構成されている。
【００５１】
図６は、各携帯型無線端末２００の内部構成を示すブロック図である。まずはじめに、携帯型無線端末２００の内部構成について説明する。
【００５２】
図６に示すように、携帯型無線端末２００は、アンテナ１、受信部２２、感度測定部４、位置情報取得部５、感度マップ作成部６、表示部７、およびサーバ通信部２３から構成されている。
【００５３】
本実施の形態では、受信部２２は、アンテナ１を介して放送サービス信号の受信と、ＧＰＳに係わる信号とを受信する部分である。また、感度測定部４および位置情報取得部５は、実施の形態１と同様なので説明は省略する。
【００５４】
サーバ通信部２３は、一組の位置−感度信号と所定の要求信号とを、サーバ３００に対して送信することができる部分である。ここで、一組の位置−感度信号は、位置情報取得部５で取得した放送サービス信号を受信している所定の位置に関する位置情報、および、当該所定の位置における感度測定部４での測定結果（つまり、当該所定の位置における放送サービス信号の受信感度値）から構成されている。
【００５５】
また、所定の要求信号は、サーバ３００において記憶・管理されている位置−感度信号の取得を、当該サーバ３００に対して要求するための信号である。当該所定の要求信号は、当該要求を示す命令情報、当該所定の要求信号を送信する所定の携帯無線端末２００の位置情報取得部５が取得した位置情報、および当該位置情報で特定可能な位置（つまり、所定の携帯型無線端末２００の位置）を中心とした範囲情報から、構成されている。
【００５６】
また、サーバ通信部２３は、サーバ３００から送信されてくる、所定の組の位置−感度信号を受信することができる部分である。上記から分かるように、サーバ通信部２３は、サーバ３００との間での無線通信を可能とする回路部分である。
【００５７】
感度マップ作成部６は、自機の位置を含む所定の地域における受信感度の強弱を表す感度マップを作成する部分である。ここで、当該感度マップは、サーバ３００から送信されたきた上記所定の組の位置−感度信号に基づいて、作成される。なお、表示部７は、実施の形態１と同様に、自機に対するユーザの所定の操作に応じて、上記で作成された感度マップを表示する部分である。
【００５８】
ここで、放送サービス信号等を受信する受信部２２とサーバ通信部２３とを、一の回路により構成しても良い。また、サーバ通信部２３を、サーバ３００からの信号受信する受信部とサーバ３００に対して信号を送信する送信部とを、別個独立の回路として構成しても良い。なお、図６には、図示しないが、通常各携帯型無線端末２００は、各回路の動作を制御するＣＰＵが配設されている。
【００５９】
次に、サーバ３００の内部構成について説明する。
【００６０】
サーバ３００は、上記構成を有する各携帯型無線端末２００との無線通信が可能な装置である。当該サーバ３００は、位置−感度信号受信部３１、位置−感度信号記憶・管理部３２（以下、位置−感度信号記憶部３２と称する）、位置−感度信号送信部３３、位置−感度信号抽出部３４、および要求信号受信部３５から構成されている。
【００６１】
位置−感度信号受信部３１は、複数の携帯型無線端末２００（より具体的には、サーバ通信部２３）から各々送信されてくる、上述した一組の位置−感度信号を受信する部分である。また、位置−感度信号記憶部３２は、位置−感度信号受信部３１で受信した複数組の位置−感度信号を記憶・管理する部分である。
【００６２】
また、要求信号受信部３５は、所定の携帯型無線端末２００（より具体的にはサーバ通信部２３）から送信されてくる、所定の要求信号を受信する部分である。また、位置−感度信号抽出部３４は、当該受信した所定の要求信号に応じて、位置−感度記憶部３２から所定の組の位置−感度信号を抽出する部分である。また、位置−感度信号送信部３３は、当該抽出した所定の組の位置−感度信号を、所定の携帯型無線端末２００に対して送信する部分である。
【００６３】
より具体的には、要求信号受信部３５が前述したデータ構成（命令情報、位置情報および範囲情報から成るデータ構造）の所定の要求信号を受信すると、位置−感度抽出部３４は、上記位置情報および範囲情報に応じて、位置−感度信号記憶部３２に記憶されいてる複数組の位置−感度信号の内、当該範囲情報で特定可能な範囲内に属する所定の組の位置−感度信号を抽出する。そして、位置−感度信号送信部３３は、当該抽出した所定の組の位置−感度信号を送信する。
【００６４】
ここで、位置−感度信号受信部３１、位置−感度送信部３３、および要求信号受信部３５を一の回路により実現しても良い。なお、図５には図示しないが、通常サーバ３００は、各回路の動作を制御するＣＰＵが配設されている。
【００６５】
次に、本実施の形態に係わる放送サービスシステムの動作について説明する。
【００６６】
各携帯型無線端末２００は、各機における位置情報（位置情報取得部５で取得したもの）と、当該位置情報により特定可能な位置における放送サービス信号の受信感度情報（感度測定部４で測定したもの）とから成る、一組の位置−感度信号を、サーバ３００に対して送信する。ここで、各携帯型無線端末２００は、位置−感度信号の作成および送信は、放送サービスの視聴時だけでなく、当該携帯型無線端末２００の電源がＯＮ時に常に行われるように設定しても良い。
【００６７】
次に、サーバ３００の位置−感度信号受信部３１が上記で送信されてくる一組の位置−感度信号を各々受信すると、当該位置−感度信号受信部３１は、当該受信した位置−感度信号を位置−感度信号記憶部３２に送信する。そして、当該位置−感度信号記憶部３２では、複数組の位置−感度信号を記憶・管理する。ここで、位置−感度信号受信部３１が新規な位置−感度信号を受信するたびに、位置−感度信号記憶部３２は、当該新規な位置−感度信号を追加記憶する。
【００６８】
さて、当該状態において、所定の携帯型無線端末２００が、ユーザの操作に応じて、所定の要求信号を送信したとする。ここで、上述のように、当該所定の要求信号は、命令情報、位置情報および範囲情報から構成されている。なお、当該範囲情報は、ユーザが所定の携帯型無線端末２００に対して操作を行うことにより、所定の値を選択することができる。たとえば、自機を中心として１ｋｍ四方の範囲内での感度マップを表示させたい場合には、当該１ｋｍ四方に対応した範囲情報を、ユーザは所定の携帯型無線端末２００に対して設定する。
【００６９】
サーバ３００の要求信号受信部３５が上記所定の要求信号を受信すると、当該要求信号受信部３５は、当該所定の要求信号を位置−感度信号抽出部３４に送信する。当該所定の要求信号を受信した位置−感度信号抽出部３４は、当該所定の要求に応じて、所定組の位置−感度信号を位置−感度信号記憶部３２から抽出する。たとえば、所定の要求信号が位置情報と当該位置情報で特定可能な位置を中心として１ｋｍの範囲情報とから構成されているなら、位置−感度信号抽出部３４は、範囲情報で特定可能な範囲内（つまり、位置情報で特定される位置を中心として１ｋｍ四方の範囲内）に属する、所定の組の前記位置−感度信号を、位置−感度信号記憶部３２で記憶されている複数組の位置−感度信号内から抽出する。
【００７０】
その後、位置−感度信号送信部３３は、位置−感度信号抽出部３４で抽出された所定の組の位置−感度信号を受け、所定の携帯型無線端末２００に向けて送信する。
【００７１】
当該所定の携帯型無線端末２００では、サーバ通信部２３において当該所定の組の位置−感度信号を受信する。その後、サーバ通信部２３は、受信した所定の組の位置−感度信号を、感度マップ作成部６に送信する。感度マップ作成部６では、当該所定の組の位置−感度信号に基づいて、当該所定の携帯型無線端末２００の位置を含む所定の地域における、受信感度の強弱を表す感度マップを作成し、これを記憶する。
【００７２】
なお、感度マップが作成された場合には、ユーザにその旨を通知される。その後、ユーザは、感度マップを視認したい場合には、所定の携帯型無線端末２００に対して操作を施し、表示部７に感度マップを表示させる。なお、表示部７に表示される感度マップの一例は、図４である。
【００７３】
以上のように、本実施の形態に係わる放送サービスシステムでは、サーバ３００は、複数の携帯型無線端末２００から各々送信される、複数組の位置−感度信号を記憶・管理しており、所定の携帯型無線端末２００から送信される所定の要求信号に応じて、所定の組の位置−感度信号を所定の携帯型無線端末２００に対して送信している。一方、携帯型無線端末２００は、当該所定の組の位置−感度信号に基づいて、所定の地域における感度マップを作成し、表示する。
【００７４】
したがって、各携帯型無線端末２００が必要に応じてサーバ３００にアクセスすることにより、各携帯型無線端末２００は、感度マップの作成および表示を行うことができる。よって、各携帯型無線端末２００のユーザは、当該感度マップを参照することにより、放送サービス信号の受信感度のより強い地点へと容易に移動することができる。
【００７５】
つまり、本実施の形態に係わる放送サービスシステムを採用することにより、放送サービスの利便性を向上させることができる。
【００７６】
また、本実施の形態では、所定の要求信号には、所定の携帯無線端末２００の位置情報取得部５が取得した位置情報、および位置情報で特定可能な位置を中心とした範囲情報を、少なくとも含んでいる。そして、サーバ３００の位置−感度信号送信部３３は、当該所定の要求信号に応じて、当該範囲情報で特定可能な範囲内に属する、所定の組の位置−感度信号を送信している。
【００７７】
したがって、所定の携帯型無線端末２００の感度マップ作成部６は、自機の位置を含む所定の地域のおける感度マップを作成することができる。よって、当該所定の携帯型無線端末２００のユーザは、自己の位置、当該位置における放送サービス信号の受信感度、および周辺の放送サービス信号の受信感度分布を認識することができる。よって、ユーザは当該感度マップを参照することにより、より受信感度の強い位置で、より現在位置に近い位置を容易に移動することができる。
【００７８】
なお、上述との通り、上記範囲情報は、ユーザが自機の携帯型無線端末２００を通じて任意に変更することができる。したがって、当該範囲情報の設定に応じて、作成される感度マップの範囲を変更することができる（なお、感度マップの利便性の観点から、当該感度マップは、自機の位置を中心として５００ｍから１ｋｍ範囲内のものであることが望ましい）。
【００７９】
＜実施の形態３＞
図７に本実施の形態に係わる放送サービスシステムの構成を示す。図７に示すように、当該放送サービスシステムは、放送サービスの提供を受けることが可能な複数の携帯型無線端末４００と、当該携帯型無線端末４００との通信が可能なサーバ５００とから構成されている。
【００８０】
図８は、各携帯型無線端末４００の内部構成を示すブロック図である。まずはじめに、携帯型無線端末４００の内部構成について説明する。
【００８１】
図８に示すように、携帯型無線端末４００は、アンテナ１、受信部２２、感度測定部４、位置情報取得部５、感度マップ記憶部４１、表示部７、およびサーバ通信部２３から構成されている。
【００８２】
本実施の形態では、受信部２２は、アンテナ１を介して放送サービス信号の受信と、ＧＰＳに係わる信号とを受信する部分である。また、感度測定部４および位置情報取得部５は、実施の形態１と同様なので説明は省略する。
【００８３】
サーバ通信部２３は、一組の位置−感度信号と所定の要求信号とを、サーバ５００に対して送信することができる部分である。ここで、一組の位置−感度信号は、位置情報取得部５で取得した放送サービス信号を受信している所定の位置に関する位置情報、および、当該所定の位置における感度測定部４での測定結果（つまり、当該所定の位置における放送サービス信号の受信感度値）から構成されている。
【００８４】
また、所定の要求信号は、サーバ５００において記憶・管理されている感度マップの取得を、当該サーバ５００に対して要求するための信号である。当該所定の要求信号は、当該要求を示す命令情報、当該所定の要求信号を送信する所定の携帯無線端末４００の位置情報取得部５が取得した位置情報、および当該位置情報で特定可能な位置（つまり、所定の携帯型無線端末４００の位置）を中心とした範囲情報から、構成されている。
【００８５】
また、サーバ通信部２３は、サーバ５００から送信されてくる、感度マップを受信することができる部分である。上記から分かるように、サーバ通信部２３は、サーバ５００との間での無線通信を可能とする回路部分である。
【００８６】
感度マップ記憶部４１は、サーバ通信部２３で受信した、サーバ５００から送信される感度マップを記憶する部分である。なお、表示部７は、実施の形態１と同様に、自機に対するユーザの所定の操作に応じて、感度マップ記憶部４１から感度マップを読み出し、これを表示する部分である。
【００８７】
ここで、放送サービス信号等を受信する受信部２２とサーバ通信部２３とを、一の回路により構成しても良い。また、サーバ通信部２３を、サーバ５００からの信号受信する受信部とサーバ５００に対して信号を送信する送信部とを、別個独立の回路として構成しても良い。なお、図８には、図示しないが、通常各携帯型無線端末４００は、各回路の動作を制御するＣＰＵが配設されている。
【００８８】
次に、サーバ５００の内部構成について説明する。
【００８９】
サーバ５００は、上記構成を有する各携帯型無線端末４００との無線通信が可能な装置である。当該サーバ５００は、位置−感度信号受信部３１、感度マップ作成・管理部５２（以下、感度マップ管理部５２と称する）、感度マップ送信部５３、感度マップ抽出部５４、および要求信号受信部３５から構成されている。
【００９０】
位置−感度信号受信部３１は、複数の携帯型無線端末４００（より具体的には、サーバ通信部２３）から各々送信されてくる、上述した一組の位置−感度信号を受信する部分である。また、感度マップ管理部５２は、位置−感度信号受信部３１で受信した複数組の位置−感度信号に基づいて、感度マップを作成し、当該作成した感度マップを記憶・管理する部分である。ここで、感度マップは、上述と同様に、自機の位置を含む所定の地域における放送サービス信号の受信感度の強弱を表す分布図である。
【００９１】
また、要求信号受信部３５は、所定の携帯型無線端末４００（より具体的にはサーバ通信部２３）から送信されてくる、所定の要求信号を受信する部分である。また、感度マップ抽出部５４は、当該受信した所定の要求信号に応じて、感度マップ管理部５２から所定の範囲内の感度マップを抽出する部分である。また、感度マップ送信部５３は、当該抽出した感度マップを、所定の携帯型無線端末４００に対して送信する部分である。
【００９２】
より具体的には、要求信号受信部３５が前述したデータ構成（命令情報、位置情報および範囲情報から成るデータ構成）の所定の要求信号を受信すると、感度マップ抽出部５４は、上記位置情報および範囲情報に応じて、感度マップ管理部５２で記憶・管理されている感度マップの内、当該範囲情報で特定可能な範囲内に属する区分感度マップを抽出する。そして、感度マップ送信部５３は、当該抽出した区分感度マップを送信する（よって、所定の携帯型無線端末４００の感度マップ記憶部４１では、当該区分感度マップが記憶されると理解できる）。
【００９３】
ここで、位置−感度信号受信部３１、感度マップ送信部５３、および要求信号受信部３５を一の回路により実現しても良い。なお、図７には図示しないが、通常サーバ５００は、各回路の動作を制御するＣＰＵが配設されている。
【００９４】
次に、本実施の形態に係わる放送サービスシステムの動作について説明する。
【００９５】
各携帯型無線端末４００は、各機における位置情報（位置情報取得部５で取得したもの）と、当該位置情報で特定可能な位置における放送サービス信号の受信感度情報（感度計測部４で計測したもの）とから成る、一組の位置−感度信号を、サーバ５００に対して送信する。ここで、各携帯型無線端末４００は、位置−感度信号の作成および送信は、放送サービスの視聴時だけでなく、当該携帯型無線端末４００の電源がＯＮ時に常に行われるように設定しても良い。
【００９６】
次に、サーバ５００の位置−感度信号受信部３１が上記で送信されてくる一組の位置−感度信号を各々受信すると、当該位置−感度信号受信部３１は、当該受信した位置−感度信号を感度マップ管理部５２に送信する。そして、当該感度マップ管理部５２では、複数組の位置−感度信号に基づいて感度マップを作成し、当該作成した感度マップを記憶・管理する。ここで、位置−感度信号受信部３１が新規な位置−感度信号を受信するたびに、感度マップ管理部５２では、管理している感度マップを、当該新規受信した位置−感度信号を反映した当該感度マップに更新する。
【００９７】
さて、当該状態において、所定の携帯型無線端末４００が、ユーザの操作に応じて、所定の要求信号を送信したとする。ここで、上述のように、当該所定の要求信号は、命令情報、位置情報および範囲情報から構成されている。なお、当該範囲情報は、ユーザが所定の携帯型無線端末４００に対して操作を行うことにより、所定の値を選択することができる。たとえば、自機を中心として１ｋｍ四方の範囲内での感度マップを表示させたい場合には、当該１ｋｍ四方に対応した範囲情報を、ユーザは所定の携帯型無線端末４００に対して設定する。
【００９８】
サーバ５００の要求信号受信部３５が上記所定の要求信号を受信すると、当該要求信号受信部３５は、当該所定の要求信号を感度マップ抽出部５４に送信する。当該所定の要求信号を受信した感度マップ抽出部５４は、当該所定の要求に応じて、感度マップ（より具体的には、上記区分感度マップ）を感度マップ管理部５２に記憶されている感度マップから抽出する。
【００９９】
たとえば、所定の要求信号が位置情報と当該位置情報で特定可能な位置を中心として１ｋｍの範囲情報とから構成されているなら、感度マップ抽出部５４は、感度マップ管理部５２に記憶・管理されている感度マップの内、範囲情報で特定可能な範囲内（つまり、位置情報で特定される位置を中心として１ｋｍ四方の範囲内）に属する、区分感度マップを抽出する。
【０１００】
その後、感度マップ送信部５３は、感度マップ抽出部５４で抽出された感度マップ（区分感度マップ）を受け、所定の携帯型無線端末４００に向けて送信する。
【０１０１】
当該所定の携帯型無線端末４００では、サーバ通信部２３において当該感度マップ（区分感度マップ）を受信する。その後、サーバ通信部２３は、受信した感度マップ（区分感度マップ）を、感度マップ記憶部４１に送信する。感度マップ記憶部４１では、当該感度マップ（区分感度マップ）を記憶する。
【０１０２】
なお、感度マップが感度マップ記憶部４１に記憶された場合には、ユーザにその旨を通知される。その後、ユーザは、感度マップを視認したい場合には、所定の携帯型無線端末４００に対して操作を施し、感度マップ記憶部４１に記憶されている感度マップを表示部７に表示させる。なお、表示部７に表示される感度マップの一例は、図４である。
【０１０３】
以上のように、本実施の形態に係わる放送サービスシステムでは、サーバ５００は、複数の携帯型無線端末４００から各々送信される、複数組の位置−感度信号を基に感度マップを作成し、これを記憶・管理しており、所定の携帯型無線端末４００から送信される所定の要求信号に応じて、感度マップ（区分感度マップ）を所定の携帯型無線端末４００に対して送信している。一方、携帯型無線端末４００は、受信した感度マップ（区分感度マップ）を記憶し、所望の時期に当該感度マップ（区分感度マップ）を表示する。
【０１０４】
したがって、各携帯型無線端末４００が必要に応じてサーバ５００にアクセスすることにより、各携帯型無線端末４００は、感度マップ（区分感度マップ）の取得および表示を行うことができる。よって、各携帯型無線端末４００のユーザは、当該感度マップを参照することにより、放送サービス信号の受信感度のより強い地点へと容易に移動することができる。
【０１０５】
つまり、本実施の形態に係わる放送サービスシステムを採用することにより、放送サービスの利便性を向上させることができる。
【０１０６】
また、本実施の形態では、所定の要求信号には、所定の携帯無線端末４００の位置情報取得部５が取得した位置情報、および位置情報で特定可能な位置を中心とした範囲情報を、少なくとも含んでいる。そして、サーバ５００の感度マップ送信部５３は、当該所定の要求信号に応じて、サーバ５００の感度マップ管理部５２で記憶・管理されている感度マップの内、当該範囲情報で特定可能な範囲内に属する区分感度マップを送信している。
【０１０７】
したがって、所定の携帯型無線端末４００は、自機の位置を含む所定の地域のおける区分感度マップを取得することができる。よって、当該所定の携帯型無線端末４００のユーザは、自己の位置、当該位置における放送サービス信号の受信感度、および周辺の放送サービス信号の受信感度分布を認識することができる。よって、ユーザは当該区分感度マップを参照することにより、より受信感度の強い位置で、より現在位置に近い位置を容易に移動することができる。
【０１０８】
また、携帯型無線端末４００は、感度マップ（区分感度マップ）を記憶する感度マップ記憶部４１を備えている。したがって、携帯型無線端末４００が感度マップ（区分感度マップ）を取得した後、ユーザの希望するいずれかの時期において、当該感度マップ記憶部４１から感度マップ（区分感度マップ）を読み出し、表示部７にこれを表示させることができる。
【０１０９】
なお、上述との通り、上記範囲情報は、ユーザが自機の携帯型無線端末４００を通じて任意に変更することができる。したがって、当該範囲情報の設定に応じて、取得される区分感度マップの範囲を変更することができる（なお、感度マップの利便性の観点から、当該区分感度マップは、自機の位置を中心として５００ｍから１ｋｍ範囲内のものであることが望ましい）。
【図面の簡単な説明】
【０１１０】
【図１】実施の形態１に係わる携帯型無線端末の内部構成を示すブロック図である。
【図２】実施の形態１に係わる携帯型無線端末の動作の流れを示す図である。
【図３】実施の形態１に係わる携帯型無線端末の動作の流れを示す図である。
【図４】感度マップの一例を示す図である。
【図５】実施の形態２に係わる放送サービスシステムの構成およびサーバの内部構成を示す図である。
【図６】実施の形態２に係わる携帯型無線端末の内部構成を示すブロック図である。
【図７】実施の形態３に係わる放送サービスシステムの構成およびサーバの内部構成を示す図である。
【図８】実施の形態３に係わる携帯型無線端末の内部構成を示すブロック図である。
【符号の説明】
【０１１１】
１  アンテナ、２，２２  受信部、３  送信部、４  感度測定部、５  位置情報取得部、６  感度マップ作成部、７  表示部、２３  サーバ通信部、３１  位置−感度信号受信部、３２  位置−感度信号記憶部、３３  位置−感度信号送信部、３４  位置−感度信号抽出部、３５  要求信号受信部、４１  感度マップ記憶部、５２  感度マップ管理部、５３  感度マップ送信部、５４  感度マップ抽出部、１００，１５０，２００，４００  携帯型無線端末、３００，５００  サーバ。
【図１】
2007325068.tif 000003
【図２】
2007325068.tif 000004
【図３】
2007325068.tif 000005
【図４】
2007325068.tif 000006
【図５】
2007325068.tif 000007
【図６】
2007325068.tif 000008
【図７】
2007325068.tif 000009
【図８】
2007325068.tif 000010